(57)【要約】      （修正有）【課題】ブレスレットストランドの長さの簡単で迅速な調節を可能にする留め金を提供すること。【解決手段】第１のブレード２は、第２のブレード３が第１のブレード２の上に折りたたまれた、閉じた位置、すなわち「装着位置」と、第２のブレードが第１のブレードから離れた、開いた位置との間で、第１の端部により第２のブレード３に連結され、第２のブレード３は、第２の端部で、第１のブレスレットストランドを締結するための部材を圧迫し、第２のブレスレットストランドは、第１のブレードに少なくとも間接的に接続され、留め金１は、第１のブレードをその閉じた位置に保持するのに適したロッキング手段と、第２のブレード３の第２の端部に固定されたベースプレート７に搭載されたカバー６を備え、第１のブレスレットストランドを締結するための部材は、カバーとベースプレートの間でスライドする手段とをさらに備える。【選択図】図１
2019107441.tif 000002
【特許請求の範囲】
【請求項１】
少なくとも第１および第２のブレード（２、３）を備えるブレスレット留め金（１）であって、前記第１のブレード（２）は、前記第２のブレード（３）が前記第１のブレード（２）の上に折りたたまれた閉じた位置、すなわち「装着位置」と、前記第２のブレードが前記第１のブレードから離れた、開いた位置との間で、第１の端部により前記第２のブレード（３）に連結され、前記第２のブレード（３）は、第２の端部で、第１のブレスレットストランドを締結するための部材を圧迫し、第２のブレスレットストランドは、前記第１のブレードに少なくとも間接的に接続され、前記留め金（１）は、
−前記第１のブレードをその閉じた位置に保持するのに適したロッキング手段と、
−前記第２のブレード（３）の前記第２の端部に固定されたベースプレート（７）に搭載されたカバー（６）を備える、前記ブレスレットの装着長さを調節するための手段であって、前記第１のブレスレットストランドを締結するための前記部材は、前記カバーと前記ベースプレートの間でスライドする手段と
をさらに備え、
前記締結部材は、移動可能であり、前記カバーをスライドさせるために、前記留め金に垂直な方向に前記カバーに対して圧力を加えることにより、前記締結部材が前記留め金の前記カバーに少なくとも部分的に係合した少なくとも第１の位置と、前記締結部材が前記留め金の前記カバーから離れた少なくとも第２の位置との間で前記第２の位置に向けて、前記留め金の長手方向にスライドすることを特徴とする留め金（１）。
【請求項２】
前記締結部材は、第１のノッチが、前記ベースプレートと一体化したボスと係合している第１の位置から、第２のノッチが前記ボスと係合している第２の位置に移行するように配列された、少なくとも前記第１のノッチおよび前記第２のノッチを備える、請求項１に記載の留め金。
【請求項３】
前記ロッキング手段は、前記ベースプレートと前記カバーの間に搭載された少なくとも１つの押しボタンを備える、請求項１または請求項２に記載の留め金。
【請求項４】
前記カバーは、前記ブレスレットの前記締結部材がスライドする第１の機械加工を備え、前記部材は、前記機械加工の形を補完する形を有する、請求項１から請求項３のいずれかに記載の留め金。
【請求項５】
前記締結部材は、前記締結部材の移動を画定する停止手段を備える、請求項１から請求項４のいずれかに記載の留め金。
【請求項６】
前記カバーは、前記少なくとも１つの押しボタンを受け入れるための第２の機械加工を備える、請求項１から請求項５のいずれかに記載の留め金。
【請求項７】
前記少なくとも第１および第２のノッチは、前記締結部材の中に直接形成される、請求項２に記載の留め金。
【請求項８】
前記ベースプレート、前記少なくとも１つの押しボタン、前記調節部材、および前記カバーは、上下に連続して重ねられる、請求項１から請求項７のいずれかに記載の留め金。
【請求項９】
前記ロッキング手段は、前記ロックされた位置で前記押しボタン（８）に圧力を加えるなどのために、前記少なくとも１つの押しボタン（８）と相互に作用するように構成された少なくとも１つのばねを備える、請求項１から請求項８のいずれかに記載の留め金。
【請求項１０】
前記ベースプレート（７）は、前記少なくとも１つの押しボタン（８）を誘導するための手段を備える、請求項１から請求項９のいずれかに記載の留め金。
【請求項１１】
前記第１のブレード（２）は、前記ブレードと一体化した植込ボルトを備え、前記植込ボルトは、前記ベースプレート内にある開口部を通過するように、かつ前記少なくとも１つの押しボタンと相互作用するように配列された、請求項１から請求項９のいずれかに記載の留め金。
【請求項１２】
腕時計であって、請求項１から請求項１１のいずれかに記載の留め金を具備するブレスレットを備える腕時計。
【発明の詳細な説明】
【技術分野】
【０００１】
本発明は、調節手段付きのブレスレット留め金に関し、詳細にはウオッチブレスレットのための調節手段付きのブレスレット留め金に関する。
【背景技術】
【０００２】
欧州特許第１４６４２４５号明細書という文献では、２つの湾曲したアームであって、一方は下部アームであり、他方は上部アームであり、それぞれ凹面および凸面を具備し、上部アームの凹面は留め金が閉じた位置で下部アームの凸面に隣接し、上部アームは屈曲する際に弾性的に変形可能な２つの湾曲したアームと、ロッキング手段であって、２つの部分を備え、それぞれアームの一方に関連づけられ、第１の部分は少なくとも２つの切り口を備え、第２の部分は上部アームの弾性変形により一方または他方の切り口の中に切れ込みを入れるなどのために配列された頭部を備えるロッキング手段と、連結手段であって、アームの面に実質的に平行なピンを中心に、連結手段の端部の一方で連結式にアームを互いに接続し、切り口の一方または他方で頭部が係合されてもよい少なくとも２つの位置を上部アームが占有することができるようにする連結手段と、アームの他方の端部に配列されたブレスレットストランドを締結するための手段とを備える折りたたみ式バックルを有する留め金について教示している。
【０００３】
ピンは、アームと共に動くことができるので、ユーザがこのタイプの機構を操作することは容易ではなく、このことは、ピンがあそびの作用として張り出し、望ましくない位置にアームを閉じ込める場合があることを意味する。さらに、位置のロッキングは、完全に信頼できるわけではなく、短い位置で、留め金は、開いたときに、ユーザの望みと反対に、長い位置に推移する危険性がある。
【先行技術文献】
【特許文献】
【０００４】
【特許文献１】欧州特許第１４６４２４５号明細書
【発明の概要】
【発明が解決しようとする課題】
【０００５】
本発明の目的は、とりわけこれらの公知の技法のさまざまな欠点を緩和することである。
【０００６】
より詳細には、本発明の目的は、ブレスレットストランドの長さの簡単で迅速な調節を可能にする留め金を提供することである。
【課題を解決するための手段】
【０００７】
これらの目的、および以下でより明確に明らかになる他の目的はまた、少なくとも第１および第２のブレードを備えるブレスレット留め金を利用する本発明により達成され、第１のブレードは、第２のブレードが第１のブレードの上に折りたたまれた閉じた位置、すなわち「装着位置」と、第２のブレードが第１のブレードから離れた、開いた位置との間で、第１の端部により第２のブレードに連結され、第２のブレードは、第２の端部で、第１のブレスレットストランドを締結するための部材を圧迫し、第２のブレスレットのストランドは、第１のブレードに少なくとも間接的に接続され、留め金は、
−第１のブレードをその閉じた位置に保持するのに適したロッキング手段と、
−第２のブレードの第２の端部に固定されたベースプレートに搭載されたカバーを備える、ブレスレットの装着長さを調節するための手段であって、第１のブレスレットストランドを締結するための前記部材は、カバーとベースプレートの間でスライドする手段と
をさらに備える。
【０００８】
本発明によれば、締結部材は、カバーをスライドさせるために、留め金に垂直な方向にカバーに対して圧力を加えることにより、締結部材が留め金のカバーに少なくとも部分的に係合した第１の位置と、締結部材が留め金のカバーから離れた少なくとも第２の位置との間を第２の位置に向けて、留め金の長手方向にスライドする。
【０００９】
以下は、本発明の他の有利な変形形態による。
−締結部材は、第１のノッチが、ベースプレートと一体化したボスと係合している第１の位置から、第２のノッチが前記ボスと係合している第２の位置に移行するように配列された、少なくとも第１のノッチおよび第２のノッチを備える。
−ロッキング手段は、ベースプレートとカバーの間に搭載された少なくとも１つの押しボタンを備える。
−カバーは、ブレスレットの前記締結部材がスライドする第１の機械加工を備え、前記部材は、機械加工の形を補完する形を有する。
−締結部材は、前記締結部材の移動を画定する停止手段を備える。
−カバーは、前記少なくとも１つの押しボタンを受け入れるための第２の機械加工を備える。
−前記少なくとも第１および第２のノッチは、前記締結部材の中に直接形成される。
−ベースプレート、前記少なくとも１つの押しボタン、前記調節部材、およびカバーは、上下に連続して重ねられる。
−ロッキング手段は、ロックされた位置で押しボタンに圧力を加えるなどのために、前記少なくとも１つの押しボタンと相互に作用するように構成された少なくとも１つのばねを備える。
−ベースプレートは、前記少なくとも１つの押しボタンを誘導するための手段を備える。
−前記第１のブレードは、前記第１のブレードと一体化した植込ボルトを備え、前記植込ボルトは、ベースプレートの開口部を通過し、かつ前記少なくとも１つの押しボタンと相互に作用するように配列される。
【００１０】
本発明はまた、本発明による留め金を具備するブレスレットを備える腕時計に関する。
【００１１】
したがって、上記で記述した、本発明の異なる機能および構造の様態のために、本発明の主題は、ストランドの長さの調節が特に迅速で容易な留め金を得ることを可能にする。
【００１２】
本発明の他の特徴および利点は、例証する限定しない簡単な例として示す、本発明の特定の実施形態、および図面に関する以下の記述を読むとより明確に明らかになるであろう。
【図面の簡単な説明】
【００１３】
【図１】本発明による留め金の透視図である。
【図２】本発明による留め金の分解図である。
【図３】本発明による留め金の調節手段の分解図である。
【図４ａ】本発明による留め金の調節手段の側面図を示す。
【図４ｂ】本発明による留め金の、図４ａの線ＡＡ上の断面図を示す。
【図５】本発明による留め金の調節手段の、透視図法による底面図である。
【図６ａ】ブレスレットの装着長さを修正するための調節手段の運動学を示す。
【図６ｂ】ブレスレットの装着長さを修正するための調節手段の運動学を示す。
【図６ｃ】ブレスレットの装着長さを修正するための調節手段の運動学を示す。
【発明を実施するための形態】
【００１４】
次に、図１、図２、図３、図４ａ、図４ｂ、図５、図６ａ、図６ｂ、および図６ｃを一緒に参照して、第１の代表的な実施形態による、調節可能なストランドのブレスレット留め金について以下に記述する。
【００１５】
本発明は、少なくとも第１および第２のブレードを備える、折りたたみ式バックルを有するタイプのブレスレット留め金１に関し、第２のブレード３は、第２のブレード３が第１のブレード２の上に折りたたまれた閉じた位置、すなわち「装着位置」と、第２のブレード３が第１のブレード２から離れた、開いた位置との間で、第１の端部により第１のブレード２に連結される。
【００１６】
第２のブレード３は、第２の端部で、第１のブレスレットストランドの締結部材３０を圧迫し、第２のブレスレットストランドは、取付リンク５を用いて第１のブレード２に少なくとも間接的に接続され、たとえば、第１のブレード２は、第２のブレード３をそれが閉じた位置に保持することができるロッキング手段を備える。第１のブレスレットストランドの、もしくは第１のリンクの締結手段は、図に示すように、第３のブレード４の形をとってもよい、またはストランドまたはリンクが、第１のブレード２に直接固定される、もしくは連結された中間要素を介して第１のブレード２に間接的に固定されると考えることもまた可能であってもよい。
【００１７】
革、布、織物などの材料で、またはブレスレットまたはベルトを作成するための、当業者に公知の任意の他の材料でストランドを製造してもよい。
【００１８】
ブレスレットリンクが金属、セラミック、複合材料、またはリンクを製造するための、当業者に公知の任意の他の材料から作られた場合、ブレスレットリンクをストランドに締結することもまた可能である。
【００１９】
第１のブレード２は、たとえばその中央に「中央開口部」１０と呼ばれる貫通開口部を有してもよく、中央開口部は、植込ボルトが、押しボタンと、または本発明の枠内で当業者に周知の留め金の任意の他のロッキング手段と相互に作用するように、植込ボルト１１を受け入れるように構成される。第１のブレード２上で、たとえば、押しボタン上に配列された他のフックと相互に作用するように構成された固定フックにはめ込むこともまた可能であってもよい。
【００２０】
有利には、留め金は、ブレスレットの装着長さ調節するための手段を備え、調節手段は、その横方向の縁部を介してベースプレート７に平行移動できるように連結されたカバー６を備え、ベースプレート７は、中間連結要素７０を介して第２のブレード３の第２の端部に固定され、第１のブレスレットストランドの締結部材は、カバー６とベースプレート７の間でスライド可能に搭載される。
【００２１】
図２および図３で理解され得るように、締結部材３０は、移動可能であり、カバーをスライドさせるために、留め金に垂直な方向にカバー６に対して圧力を加えることにより、締結部材３０が留め金のカバー６に少なくとも部分的に係合した少なくとも第１の位置と、締結部材３０が留め金のカバー６から離れた少なくとも第２の位置の間で第２の位置に向けて、留め金１の長手方向にスライドする。
【００２２】
本発明によれば、図４ｂに示すように、締結部材３０は、少なくとも第１のノッチ３１および第２のノッチ３２を備え、第１のノッチ３１が、ベースプレートと一体化したボス７１と係合している第１の位置から、第２のノッチ３２がボス７１と係合している第２の位置に移行するように配列される。第１のノッチ３１および第２のノッチ３２は、締結部材３０の中に直接機械加工される。締結部材は、装着者の要求および形態に従って、複数の調節ノッチを有してもよいことは、まったく明白である。
【００２３】
カバー６は、締結部材３０が収容され、かつスライドする第１の機械加工６０を長さ方向に備え、部材は、組み立てた後のあそびを制限するために機械加工の形を補完する形を有する。さらに、締結部材３０は、それ自体の移動する長さを画定し、かつ機械加工６０から押しのけられるのを回避することもまたできるようにする、停止手段３３を備える。
【００２４】
図３および図４ｂに示すように、締結部材３０は、ボス７１が通過することができるようにするなどのために、停止手段３３のすぐ近くに凹部３４を有する。
【００２５】
カバー６はまた、これらの図から理解することができるように、少なくとも１つの押しボタン、または２つの押しボタンを受け入れるために、幅の方向に長方形の形をした第２の機械加工６１を備え、１つまたは複数の押しボタンは、ベースプレート７とカバー６の間に搭載される。
【００２６】
第１の機械加工６０および第２の機械加工６１は交差し、停止手段が移動する長さを画定するゾーンを形成し、停止手段は、前記形成されたゾーンの中を移動する。
【００２７】
図３から理解されてもよいように、締結部材３０は、３つの別個の高さを有し、第１の高さは、停止手段３３を備え、第２の高さは、第１の高さよりも厚く、ノッチ３１、３２を備え、第３の高さは、第２の高さよりも厚く、ブレスレットストランドまたはリンクを取り付けるための手段を備える。
【００２８】
このタイプの配列により、ベースプレート７、押しボタン８、調節部材３０、およびカバー６を上下に連続して重ねることが可能になり、調節部材３０は、カバー６と、押しボタン８および／またはベースプレート７との間で保持される。
【００２９】
ベースプレート７は、１つまたは複数の押しボタン８のためのガイド溝７２を備え、ガイド溝は、押しボタンの形を補完する形を、すなわち、長方形の形を有する。
【００３０】
ベースプレート７はまた、第１のブレード２と一体化した植込ボルト１１が通過する溝７２の中に貫通孔７３を備える。２つの押しボタン８は、ユーザからの圧力に応答して、カバー６、部材３０、およびベースプレート７の組立体が第１のブレード２上で、閉じた位置にロックされる第１の静止位置と、組立体が第１のブレード２から離れた、第２の押し込まれた位置との間で、留め金１に垂直な方向に移動させられるように配列される。
【００３１】
押しボタン８は、カバーの片側に突き出るなどのように、カバー６の幅およびベースプレート７の幅よりも長い本体により形成される。押しボタン８は、スライド可能に搭載され、押しボタンを離れたままに保つように、圧迫するようにしてばねと相互に作用する。これらの図から理解されてもよいように、各押しボタンは、押しボタンがばねにより圧力を加えられたとき、植込ボルト１１が通過し、押しボタンを保持することができるようにする通路およびフックを有する。
【００３２】
本発明の特に有利な一様態によれば、ユーザは、操作を容易にするために、留め金と垂直な方向に押しボタン８およびカバー６を押しつけることができる。
【００３３】
したがって、留め金を調節するために、ユーザは、最初に第１のブレード２から第２のブレード３を開く。次に、ユーザは、図６ａ〜図６ｃのように、カバー６をその静止位置から調節位置の１つに向けて一方に片寄らせるなどのために、カバー６、および任意選択で真下にある押しボタン８を圧迫し、その結果、ノッチに対して一方に片寄ったボスは、ノッチ３１および３２の中に提供された通路の反対側に置かれ、次いで、装着者は、必要とされる位置に調節部材３０を移動させることができる。最後に、調節部材が、必要とされるノッチの中に配置されると、装着者は、カバー６に加えた圧力を解放し、カバー６は、ピンと相互に作用するばねの効果によってカバー６の静止位置まで戻り、ばねもピンも、図４ｂおよび図５で見ることができる。ピンはベースプレート７と一体化し、カバー６の移動する長さを画定するので、装着者は次に、ウオッチを装着するために留め金１をただ閉じさえすればよい。
【００３４】
本発明はまた、上記で記述した留め金を具備するブレスレットを備える腕時計に関する。
【００３５】
本発明のこれらのさまざまな様態のおかげで、ブレスレットストランドの長さを調節することができるようにする、簡単なデザインの留め金が提供される。
【００３６】
当然のことながら、本発明は、示した例に限定されることはなく、当業者に明らかになるさまざまな変形形態および修正形態で具体化されてもよい。
【符号の説明】
【００３７】
１  ブレスレット留め金
２  第１のブレード
３  第２のブレード
４  第３のブレード
５  取付リンク
６  カバー
７  ベースプレート
８  押しボタン
１０  中央開口部
１１  植込ボルト
３０  締結部材、調節部材
３１  第１のノッチ
３２  第２のノッチ
３３  停止手段
３４  凹部
６０  第１の機械加工
６１  第２の機械加工
７０  中間連結要素
７１  ボス
７２  ガイド溝
７３  貫通孔
【図１】
2019107441.tif 000003
【図２】
2019107441.tif 000004
【図３】
2019107441.tif 000005
【図４ａ】
2019107441.tif 000006
【図４ｂ】
2019107441.tif 000007
【図５】
2019107441.tif 000008
【図６ａ】
2019107441.tif 000009
【図６ｂ】
2019107441.tif 000010
【図６ｃ】
2019107441.tif 000011